(57)【特許請求の範囲】
【請求項１】
ティーバッグに入った乾燥植物を浸出するための蓋付き急須または蓋付き湯呑であって、急須の注ぎ口または湯呑の飲み口に対向する容器内周壁の上部で、閉じた蓋の底面に対向する位置に略半月状または扇状の水切りを具える茶器において、
前記蓋の底面は蓋の中心から放射状に２〜６等分割され、それぞれ底面高の異なる段差を有することを特徴とする茶器。
【請求項２】
ティーバッグに入った乾燥植物を浸出するための蓋付き急須または蓋付き湯呑であって、急須の注ぎ口または湯呑の飲み口に対向する容器内周壁の上部で、閉じた蓋の底面に対向する位置に略半月状または扇状の水切りを具える茶器において、
容器内周壁上部に周設した蓋を係止するための蓋用内ツバ上に、装着可能なリング状のスペーサーを有することを特徴とする茶器。
【請求項３】
急須の注ぎ口または湯呑の飲み口に対向する容器内周壁の、閉じた蓋の底面に対向する位置に水切りを係止する水切り用内ツバを周設し、
または蓋用内ツバ上に水切り懸架支持具を配設することにより、水切りが着脱可能であることを特徴とする請求項１または２に記載の茶器。 
【発明の詳細な説明】
【技術分野】
【０００１】
本発明はティーバッグを用いて茶などを淹れるために用いる蓋付き茶器に関する。
【背景技術】
【０００２】
茶などの乾燥飲料を浸出するには通常、急須やティーポット、湯呑みなどの茶器を用いる。また、乾燥飲料の浸出液を得る方法は、散の茶葉を茶器中で直接浸出し濾して浸出液を得る方法と、茶葉を不織布など透水性を有する袋に封入したティーバッグを茶器中で浸出し浸出液を得る方法が一般的である。以下、乾燥飲料の浸出方法の現状における課題と本発明による改善策について茶葉を例に記載する。
【０００３】
散の茶葉を急須で淹れる方法は、急須内で散の茶葉が拡散するため可溶分の浸出が均一となり、注ぎ切りも良く、風味よく浸出することができる。しかし、注いだ際に茶殻が急須内の濾し網に刺さったり目詰まりし、雑菌の繁殖を防ぐためにも使用の都度十分な洗浄を行わなければならない。また、茶殻の処理はわずらわしいものであり、ゴミとして回収する作業も面倒である。茶葉を量り急須に投入する際には、茶葉をこぼさないよう注意しなければならず、おいしく淹れるには茶葉の量を適量とすることが必要であるが、これを目分量で量るには熟練を要する。
【０００４】
一方、ティーバッグによる方法では、茶葉が透水性バッグに封入されていることから、取扱いは容易で注ぐ際には茶漉しは不要であり、急須の洗浄や茶殻の後始末が容易である。また、茶葉はあらかじめ製造工程で定量化されていることから、茶葉の計量に気遣う必要がなく容易にお茶を淹れることができる。
【０００５】
しかし、ティーバッグによる浸出では茶葉がバッグ内に封じ込められているため、茶葉からの可溶分の浸出が速やかにおこなわれず浸出に時間を要する。また、注ぐ際には急須を傾けてもバッグ内で湯を吸収し膨張した茶葉中に高濃度の浸出液が留まってしまうため、散の茶葉に比べ可溶分の浸出が不足し、概して淹れた際の水色は薄く香味が不良となる。
【０００６】
そこで、ティーバッグからの浸出を促すためにティースプーンの底面等でティーバッグを押さえ水切りを行ってみると、押圧が強すぎる場合には茶葉からタンニンが過剰抽出され、苦渋味が増すなど品質に大きな影響を及ぼす。このように、ティーバッグ茶の浸出においては適度な押圧により絞ることが有効であり、その押圧の強弱は品質に大きく影響を及ぼすものである。
【０００７】
また、散の茶葉、ティーバッグともに、浸出液中に必要以上に永くとどめておくとタンニンの溶出が進み苦渋味の強い浸出液となってしまうため，注ぎ切った茶葉は浸出液に再度浸ることのないようにしなければならない。特にティーバッグでは絞りが不足し、ティーバッグ内の茶葉中に高濃度の浸出液が留まったままにしておくと茶葉の品質劣化が進み、二煎目以降の風味も低下させてしまう。
【０００８】
ティーバッグ用の茶葉は通常、バッグ内で茶葉の可溶分の浸出を促すため、また、バッグ包装時の定量投入をしやすくするために細かく破砕されたものが用いられている。紅茶などの発酵茶は製茶工程ですでに酸化していることから破砕による品質への影響は比較的少ないが、煎茶などの不発酵茶においては製茶後の破砕は製品の酸化を進めるため、浸出液の水色、香気、滋味品質を大きく損ねてしまう。このため不発酵茶をティーバッグ化する場合には破砕は極力避けるべきであるが、茶葉を破砕せずにティーバッグに封入した場合、蒸熱し原葉を揉み込みんでこより状に体積を凝た乾燥茶葉は、湯に浸すと元の原葉の形態に戻ろうと展開するために嵩は大きくなり、ティーバッグ内では葉の展開が十分にできず,水を飽和状態に吸ったスポンジ状となり、外部への可溶分の浸出は進まない。この
ため、ティーバッグは品質の高い煎茶類には適しておらず、現状での煎茶におけるティーバッグ利用はもっぱら安価で低品質のものに限られている。
【０００９】
また、通常、注ぐ際の茶葉は散の茶葉、ティーバッグともに急須内の浸出液中に浸った状態であるため、浸出液を湯呑に注ぎ出す際には注ぎはじめは浸出液濃度は薄く、後になるほど茶葉の吸水中可溶分が溶け出すために濃くなっていく。このため、数杯の湯呑に注ぐ際には濃度を均一にするために、何回にも注ぎ分ける必要がある。
【００１０】
湯呑やティーカップなどの飲容器に直接ティーバッグを入れ飲用する場合においても急須と同様に、ティーバッグでは浸出液の水色は薄く香味が不良となり、２煎目以降もおいしく飲めない。
【００１１】
以上のことから高品質な茶葉の浸出を、だれでもが簡単で手軽に、かつ上手に淹れられるようにするには、ティーバッグを用いて、ティーバッグの欠点である注ぎきり時の絞りを的確にでき、かつ浸出後のティーバッグを液中に留めない茶器を得ることが最良の方法である。
【００１２】
急須におけるティーバッグの押圧方法については、特許文献１には押圧片による上下可動方式およびハンドルを握り連結部材を介し圧迫板を急須内壁に押し当てるてこ方式が開示されており、特許文献２には使い捨てカップのための蓋に容器内で吸水したティーバッグを蓋下方の容器内液面上に引き上げ垂直方向に垂らし、ウイング部で両横を挟み絞る方式が開示されており、特許文献３には急須を傾けて静置することにより浸出を終えた茶葉が液面にふれない構造の急須が開示されている。
【先行技術文献】
【特許文献】
【００１３】
【特許文献１】特開平１−２２７７１４号
【特許文献２】特表２００７−５０１７４３号
【特許文献３】特開２００８−４３７１５号
【発明の概要】
【発明が解決しようとする課題】
【００１４】
特許文献１に記載の、押圧片による上下可動方式およびハンドルを握り連結部材を介し圧迫板を急須内壁に押し当てるてこ方式においては、急須に注がれた湯中でティーバッグを機械操作により複数回押圧しティーバッグ内外の水の交換を促進することがねらいであり、旧来の透水性の不良な素材への対応を目的としたものである。しかるに現在用いられるティーバッグ素材は、透水性の高い不織布やナイロン・ポリ乳酸の網が主でティーバッグの透水性は改善されており、これらの素材のものにおいては茶葉が湯を包含し膨張したティーバッグの水切りをいかに適切に、かつ簡単に行えるかが課題である。 また、特許
文献１の技術においては、注ぎ切り時のティーバッグは急須の湯中にあるためティーバッグ内の茶葉は品質の劣化が進み２煎目以降の品質も不良にする。また、注ぎ切りの際には機械的に押圧を続けなければならず、操作が不便であり、さらに押圧機構が複数の部品で構成されており、洗浄時に手間を要することや故障の発生、可動接触部での材料の摩耗片による異物混入が懸念されるとともに、製造コストも上昇する。特許文献1に記載の二つ
の実施例ともに、バネや連結部材・ハンドルなど、外部への部材の張り出しがあり、急須の操作感や美観を損ねる。
【００１５】
特許文献２に記載の使い捨てカップを想定した蓋においては、容器内で吸水したティーバッグを蓋下方の容器内液面上に引き上げ垂直方向に垂らし、ウイング部で両横を挟み絞る方式であるが、ティーバッグを液面に接しないで垂直方向に垂らすには蓋の本体部分を長くしなければならず、蓋の内容積は大きくなりかさばるとともに保温効果を減じることとなり、複数人の茶を淹れる急須等ではティーバッグも大型となることから実用的でない。また、ティーバッグを絞るためには２本の指でウイングを挟み込む操作が必要となる。さらに、ウイングは蝶番様に閉じることから均一な押圧ができず、両ウイングを一定の隙間に止める機構がないため指の押圧が強い場合はティーバッグを絞りすぎ、逆に押圧が弱いと絞り不足となり所定の濃度を得ることが難しい。
【００１６】
特許文献３に記載の急須は、急須を傾けて静置することにより浸出を終えた茶葉が液面にふれない構造であるが、本法ではティーバッグを絞ることができない。また、急須内の残液が多い場合は茶葉が液に浸ってしまい、残液を注ぐ際にも再度、茶葉が液に浸ってしまう恐れがある。
【００１７】
本発明は、以上のような従来のティーバッグ用茶器の欠点に鑑み、簡素な機構で注ぎきりが簡単で良好にでき、浸出後のティーバッグを液中に留めない抽出用茶器を提供することを目的としている。
【課題を解決するための手段】
【００１８】
第１の発明の蓋付き茶器は、ティーバッグに入った乾燥植物を浸出するための蓋付き茶器において、茶器上部の開口部と想定される液面との間に水切りを有し、前記水切り内のいずれの場所においても閉じた状態の蓋の底面と前記水切りは概ね一定の隙間を保つことを特徴とする。
【００１９】
第２の発明の蓋付き茶器は、第1の発明の蓋付き茶器において、水切りの着脱を可能と
することを特徴とする。
【００２０】
第３の発明の蓋付き茶器は、第１の発明及び第２の発明の蓋付き茶器において、閉じた状態の蓋の底面と水切りとの隙間が調整可能であることを特徴とする。
【発明の効果】
【００２１】
上記のように構成したことで、本発明の茶器は、以下の効果を奏する。第１の発明の蓋付き茶器は、急須、ティーポットまたは湯呑等の蓋を閉じた状態において蓋底面と水切り天面は略水平で平行に保たれており、その隙間は規定されるため、茶器内で湯を吸収し膨張したティーバッグを水切り天面に平らに配置し蓋を完全に閉じることにより、挟まれたティーバッグは蓋の押圧により規定の厚さにまで均一に絞ることができ、目的とする濃度の浸出液を得ることができる。ティーバッグへの押圧は蓋を閉め切る操作だけでティーバッグに所定の押圧を得ることができる。また、蓋を完全に閉めず途中で留めた場合にはティーバッグの絞り程度は軽くなることから、蓋の閉じ加減で浸出液の濃度を薄く調整することができる。
【００２２】
水切りは、想定される浸出液面より高い位置に配置されていることから、絞られたティーバッグは再び浸出液に浸ることはなく、浸出液の品質に影響を及ぼすことはない。ティーバッグの水切りを適切に終えた浸出液は均質となることから何回にも注ぎ分ける必要がなく、また、浸出液を茶器内に留めておいてもティーバッグの浸漬に伴う品質低下がないことからポットとして利用することもできる。急須またはティーポットを注ぐ際は蓋を指で押さえ注ぐことから、水切りと蓋底部に挟まれたティーバッグが茶器内に落下することはない。２煎目以降は、再びティーバッグを急須底部に戻し湯を注ぎ浸出することで1煎目
と同様の効果が得られる。
【００２３】
第1の発明の蓋付き茶器は、特許文献１の課題として指摘した浸出後のティーバッグが
茶器の浸出液中に残るという問題点を解決することができる。また、特許文献２の課題として指摘した垂直状のティーバッグを絞る方法による保温性の低下と外観上の欠点を、略水平の状態で絞る方法としたことにより解決することができ、さらに角度の付いた偏圧でなく平行状態での押圧となることから均一な押圧でティーバッグを絞ることができる。特許文献３の課題として指摘した、ティーバッグを絞れない、注ぐ際にティーバッグが再度浸出液に浸るという問題点も当然解決することができる。
【００２４】
第２の発明の蓋付き茶器の着脱可能な水切りは、所定の位置に装着することにより設定した隙間を確保することができティーバッグを適切に絞る役割を果たす。使用後には取り外せることで急須、ティーポット、湯呑ともに、茶器の洗浄の作業が容易になり茶渋が固着しやすい茶器の内部を清潔に保つことができる。湯呑においては飲用の際に水切りが飲み手の鼻にふれる場合があるので、載せているティーバッグとともに湯呑から一時的に取り出せる着脱型の水切りの方が実用的である。
【００２５】
第３の発明は、蓋用内ツバ上または水切り用内ツバ上へのスペーサーの挿入、もしくは裏面が複数の異なる厚みを有する蓋を用いることにより、前記閉じた状態の蓋の底面と上記水切りとの隙間を調整することができることから、ティーバッグの形態や茶葉の種類、内容量が異なる多様なティーバッグをひとつの急須で対応することができる。裏面が複数の異なる厚みを有する蓋を用いた場合は、蓋を回動するだけで隙間を調整できるため便利である。
【図面の簡単な説明】
【００２６】
【図１】水切りが着脱式で、かつスペーサーを用いた急須で、水切り用内ツバの上にスペーサーを挟み、その上に水切りを配し、その上に押圧するティーバッグを置き、蓋を被せた状態を示す構成図である。
【図２】図１の断面図である。
【図３】水切りが着脱式で、かつスペーサーを用いた湯呑みで、水切り用内ツバの上に水切りを配し、その上に押圧するティーバッグを置き、蓋用内ツバの上にスペーサーを挟み、蓋を被せた状態を示す構成図である。
【図４】図３の断面図である。
【図５】蓋中心部から放射状に３等分され、それぞれ異なる厚みを持った蓋をもつ、水切りが一体となった急須の斜視図である。
【図６】図５の蓋の表面に押圧の程度を示すマークを備えた急須の蓋の斜視図である。
【図７】水切りが急須と一体で、かつスペーサーを用いた急須で、蓋用内ツバの上にスペーサーを挟み、蓋を被せた状態を示す構成図である。
【図８】ガイド、およびひも通し溝を備えた急須で、ティーバッグを収容した状態を示す斜視図である。
【図９】既成の急須および湯呑で用いることができる吊り下げ型の着脱可能な水切りの一例を示す斜視図である。
【発明を実施するための形態】
【００２７】
以下、図面を参照しつつ、本発明の蓋付き茶器の実施形態を説明する。ただし、本発明の技術的範囲は以下の実施形態に示した具体的な用途や形状・寸法などには限定されない。
【実施例１】
【００２８】
図１は本発明の実施例１の着脱可能な水切りと、水切りの下および蓋の下にスペーサーを挟ませた急須の構成図であり、図２はその断面図である。水切り３は急須１の内周壁に沿った略半月状であり人数分用の茶葉を封入した当該ティーバッグ４がほぼ平らに載せられる大きさを有し、排水用の小穴１０が設けられている。水切りで塞がない急須開口部はティーバッグ４の出し入れおよび注湯用の空間である。水切り３は急須１の内部上方で注ぎ口の対面方向にあり、想定される液面５より高い位置にある馬蹄形状の水切り用内ツバ６および回転止め突起７により、定位置に配置される。この際、水切り内のいずれの場所においても、閉じた状態の蓋２の底面と水切り３は概ね一定の隙間が保たれており、蓋底面の形状が凸状または凹状である場合には、水切り天面も蓋底面にあわせた凹状または凸状を呈する。本発明の実施例では脱着可能な水切りとしたが、急須と一体となった水切りであってもよい。
【００２９】
本発明の実施例１の水切りを備えた蓋付き急須によるティーバッグに入った乾燥植物を浸出する方法を以下に示す。ティーバッグ４を浸出する際には、まず適量の熱湯を水切り３の対面方向の急須開口部から急須１に注ぎ、１分程度静置し急須１を暖めるとともに湯温を適温に下げる。その後、ティーバッグ４を付属のひも９を用いて急須底部へ投入し、ひも９は急須１の外にたらし、蓋２を閉じる。この状態で茶葉の浸出を進め、適当な時間を経過後、蓋２を開けひも９を用いてティーバッグ４を水切り３の上に平らに載せる。その後、ひも９を急須の外に垂らし蓋２を垂直方向に下げ、蓋２を完全に閉じる。この蓋２の全閉操作により、所定の隙間でティーバッグ４が絞られることにより余分な浸出液が急須内にしたり落ち適度な濃度の浸出液を得ることができる。次に急須１を持ち上げ蓋２に指を添え各湯呑に注ぎ分ける。浸出液が残った場合には空いた湯呑みに再度注いでもよく、２煎目用に急須内に残してもよい。２煎目を淹れる際には、まず蓋２を開け、ひも９を用いて水切り３に載っているティーバッグ４を開口部から急須底部に移し、ひも９を急須１の外にたらし、熱湯を開口部より注ぎ再び蓋２を閉める。このように繰り返すことで煎茶の場合、数煎目までおいしく味わうことができる。飲み終えたティーバッグはすでに水切りされていることから、水がしたり落ちることはなく片付ける際には容易である。
【００３０】
本発明の実施例１の水切りを備えたティーバッグ用急須は、スペーサーを用いることによりティーバッグへの押圧を制御することができる。押圧を強めたい場合は、馬蹄型スペーサー１１を注ぎ口８と反対側に配置された水切り用内ツバ６と水切り３の間に挟むことにより、馬蹄型スペーサー１１の厚みの分だけ水切り３の位置が高くなり、蓋２の底面との隙間が狭まり押圧を強めることができる。逆に押圧を弱めたい場合は、リング型スペーサー１３を蓋用内ツバ１２と蓋２との間に挟むと密閉状態を保ちつつ蓋２の位置がリング型スペーサー１３の厚みの分だけ高くなり、蓋２の底面との隙間が広くなり押圧を弱めることができる。これらスペーサーの枚数を多くする、もしくは厚みの異なるスペーサーを用いることにより、多様な包装素材や形状、茶葉量、茶品質のティーバッグを一つの急須で最適な浸出液を得ることができる。また、一煎目は軽く絞り香りが引き立つように抽出し，二煎目はスペーサーを追加または変更して強く絞り味を楽しむなど高級煎茶の本格的な味わい方が出来る。
【実施例２】
【００３１】
図３は本発明の実施例２の着脱可能な水切りと、蓋の下にスペーサーを挟ませた湯呑みの構成図であり、図４はその断面図である。湯呑みの場合、当該ティーバッグ４が一人用でスペーサーも小型となること、水切り用内ツバ、蓋用内ツバがなく滑らかとした飲み口と対面する位置にスペーサーを配置する。他は実施例１の急須と同様の構成である。
【００３２】
湯呑みにおいては形状により傾げた際にスペーサーが鼻に接する場合がある。この際には飲用の前に湯飲み１４の蓋２を開け次に水切り３のつまみ１６を指でつまんで水切り３とティーバッグ４をセットで持ち上げて湯呑みの外に仮置きする。飲用時は水切り３と対面側で湯呑み１４の内周壁に蓋用内ツバ１２がついていない滑らかな飲み口１５より飲むと飲みやすい。２煎目を入れる際は、仮置きした水切り３の水切りつまみ１６を指でつまんで水切り３に載ったティーバッグ４をともに持ち上げ湯呑み１４の所定の位置に水切り３をセットし、ティーバッグ４のひも９を用いてティーバッグ４を湯呑み１４の底部に移しひも９を湯呑み１４の外にたらし、２煎目の湯を注ぐ。飲み終えたティーバッグ４はすでに水切りされていることから、水がしたり落ちることはなく片付ける際には容易である。
【実施例３】
【００３３】
図５は水切りが急須と一体で、蓋中心部から放射状に３等分され、それぞれ異なる厚みを持った蓋を有する本発明の実施例３の急須を示し、図６は蓋裏面の厚みを表すマークを表面に付けた蓋の表面を示す。水切りの上に膨張したティーバッグ４を置き、蓋底面が厚い強圧面１７で蓋２を閉じると両者の隙間が狭くなりティーバッグ４への押圧が増す。逆に蓋底面が薄い低圧面１９で蓋２を閉じると両者の隙間が広くなり、ティーバッグ４への押圧は弱くなる。ティーバッグへの中間の押圧が必要な時には、蓋裏面の中圧面１８を選択する。蓋２を用いる場合の水切り３の形状は蓋裏面の放射状面に合わせた形状とし、注ぎ口８と対角の急須内壁に設けるとよい。本発明の実施例３では蓋裏面を１２０度に等分し厚みを３水準確保することにより、蓋２の回動だけで３通りの押圧が選択できる例を示したが、蓋底面は１８０度に分割し厚みを２水準としてもよい。また、テトラ型ティーバッグ専用とした場合にはテトラ型の底面角が６０度であることから、最大で蓋底面を６０度に分割し６水準の厚みを構成することができる。また、蓋底面の厚みを表すマーク２１を蓋表面に記すことにより、その都度蓋底面を確認することなく好みの押圧を選択することができる。
【００３４】
図７は水切りが急須本体と一体で、かつスペーサーを用いた急須を示す。急須１にリング型スペーサー１３を蓋用内ツバ１２の上に挟むことにより、水切り３と蓋２底面の隙間を任意に拡大することができる。水切りが急須本体と一体となる急須は、水切りが固定されていることからガタつきがないため操作感がよく、水切りを紛失してしまうこともない。また、一体化したデザインを得ることができる。
【００３５】
図８には水切り上でティーバッグ角部のはみ出しを防止するためのガイド２２およびひも通し溝２３を備えた急須を示す。通常のティーバッグは座布団型で底面が四角形であり、略半月状の水切りに載せた場合にティーバッグ４の外側の角が円形の急須開口部や湯呑開口部よりはみ出す場合がある。これを防止するため、蓋用内ツバ１２が一部内側に略水平に張り出した形状のガイド２２一対を設け、その中央付近から茶器周壁上部に連なる、ひも９を通すためのひも通し溝２３を設けてある。使用にあたっては、吸水し膨張したティーバッグ４をひも９を用い水切り３上に置き、さらにひも９をひも通し溝２３に導きひも９を外方向に引っ張ることにより、ティーバッグ４は外方向に引き寄せられ、ティーバッグ４の両肩はガイド２２と水切り３と蓋２と急須茶器１の内周壁に押されティーバッグ４の中心方向に縮まり急須茶器１からのはみ出しを防ぐことが出来る。
【００３６】
図９には着脱可能な水切りとして、既成の散の茶葉用の急須および湯呑でも用いることができる吊り下げ型の水切りを示す。本法では急須１もしくは湯呑１４の蓋用内ツバ１２上に、水切り懸架支持具２４を置き、これにより想定される液面５より高い位置で、かつ、蓋を閉じた際の蓋底面と水切り天面の隙間が所定の間隔となる位置に水切り３を配置する。吊り下げ型の水切りは後付けが可能であり、蓋用リング型スペーサー１３の併用により隙間の調整もできる。既成の急須もしくは湯呑みの蓋底面の形状が凸状または凹状である場合には、水切り天面も蓋底面に合わせて凹状または凸状に合わせるとよい。
【産業上の利用可能性】
【００３７】
本発明は、ティーバッグ化された緑茶、紅茶、ハーブ、薬草などの乾燥抽出飲料の浸出方法を改善し、目的とする品質の浸出液が容易に得られるようにした浸出器具であり、特にこれまでティーバッグにすると品質が十分に得られなかった高級煎茶などを、手軽にだれでもが簡単においしく淹れることができる。このため、茶専門店など乾燥飲料の販売業等にあっては、オリジナルの上質ティーバッグ煎茶を本発明による急須や湯呑み茶器を用いた最良の淹れ方をあわせて顧客に提示することにより消費拡大につなげられる可能性がある。また、宿泊施設等の備え付けのティーバッグ茶にあっても、本発明における急須や湯呑み茶器を用いて上質ティーバッグ煎茶を上手に淹れられる方法を提示することにより、上質なサービスを提供することができる。本発明のティーバッグ用の急須、湯呑、ティーポットは構造が簡素で、洗浄が容易であり故障することがなく、製造にあたり特殊な技術や材料を要せず、廉価で供給することができる。本発明の急須茶器は、容器開口部にカップ状の濾し網を取り付けることができ、通常の散の茶葉を淹れる急須としても利用可能である。
【符号の説明】
【００３８】
１  急須本体
２  蓋
３  水切り
４  ティーバッグ
５  液面
６  水切り用内ツバ
７  回転止め突起
８  注ぎ口
９  ひも
１０  小穴
１１  馬蹄型スペーサー
１２  蓋用内ツバ
１３  リング型スペーサー
１４  湯呑み
１５  飲み口
１６  水切りつまみ
１７  強圧面
１８  中圧面
１９  低圧面
２０  蓋摺合せ面
２１  マーク
２２  ガイド
２３  ひも通し溝
２４  水切り懸架支持具
【図１】
0005994046.tif 000002
【図２】
0005994046.tif 000003
【図３】
0005994046.tif 000004
【図４】
0005994046.tif 000005
【図５】
0005994046.tif 000006
【図６】
0005994046.tif 000007
【図７】
0005994046.tif 000008
【図８】
0005994046.tif 000009
【図９】
0005994046.tif 000010